(57)【要約】      （修正有）【課題】国旗等の旗を掲揚する旗掲揚装置において、壁に取り付けられた箱体内のポールを伸張することで、ポールの収容・搬送や設置等でその手間を無くし、旗の掲揚を簡便に行わせることにある。【解決手段】旗掲揚装置１は、前面部５に開閉可能な蓋１２が備えられた箱体３を壁２に設け、また、旗が取り付けられる伸縮可能なポール４を前記箱体内に設けて構成され、そして、前記蓋の開状態において前記ポールが伸張することによって前記旗を掲揚可能な状態にしている。【選択図】図１
0003132831.tif 000002
【実用新案登録請求の範囲】
【請求項１】
前面部に蓋が備えられた箱体を壁に設け、旗が取り付けられる伸縮可能なポールを前記箱体内に設け、前記蓋の開状態において前記ポールが伸張することにより旗を掲揚可能な状態にすることを特徴とする旗掲揚装置。
【請求項２】
前面部に蓋が備えられた箱体を壁に設け、旗が取り付けられる伸縮可能なポールを前記箱体内に設け、前記蓋を開動作して前記箱体の前面部に開放口を形成するとともに、前記ポールを前記開放口側に移動させつつ伸張して旗を掲揚可能な状態にする操作機構を設けたことを特徴とする旗掲揚装置。
【請求項３】
前記操作機構は、旗の掲揚を指示する操作指示手段と、制御部及びタイマが組み込まれた制御手段と、前記蓋を開閉動作する蓋開閉手段と、前記ポールを揺動するポール揺動手段と、前記ポールを伸縮するポール伸縮手段とを備えていることを特徴とする請求項２に記載の旗掲揚装置。
【請求項４】
前記箱体の前面部には、表札が取り付けられることを特徴とする請求項１〜３のいずれか１項に記載の旗掲揚装置。
【考案の詳細な説明】
【技術分野】
【０００１】
この考案は、旗掲揚装置に係り、特に国旗等の旗を簡便に掲揚することができる旗掲揚装置に関するものである。 
【背景技術】
【０００２】
祭日において、家屋等では、玄関先やベランダ等に国旗を掲揚するのが習慣になっている。このように、国旗を掲揚する場合には、一般に、物置等に収容してあったポールを運び出し、そして、このポールを家屋の玄関先やベランダ等に持って行き、このポールの先端に国旗を取り付けた後で、このポールを立設している。
【０００３】
従来、旗の掲揚方法及びその装置には、ポールをパイプ状とし、このポール内から旗の中心側に送風して旗をなびかせるものがある。 
【特許文献１】特開２００２−１６９４９５号公報
【考案の開示】
【考案が解決しようとする課題】
【０００４】
ところが、従来、旗を掲揚する場合には、上記のように、ポールの収容・搬送や設置等でその手間がかかり、このため、旗の掲揚が面倒であり、改善が望まれていた。
【０００５】
そこで、この考案の目的は、旗の掲揚を簡便に行なうことができる旗掲揚装置を提供することにある。 
【課題を解決するための手段】
【０００６】
この考案は、前面部に蓋が備えられた箱体を壁に設け、旗が取り付けられる伸縮可能なポールを前記箱体内に設け、前記蓋の開状態において前記ポールが伸張することにより旗を掲揚可能な状態にすることを特徴とする。
【考案の効果】
【０００７】
この考案の旗掲揚装置は、壁に取り付けられた箱体内のポールを伸張することで、旗を掲揚可能な状態とし、旗の掲揚を簡便に行うことができる。
【考案を実施するための最良の形態】
【０００８】
この考案は、旗の掲揚を簡便に行うために、壁に取り付けられた箱体内のポールを伸張し、旗を掲揚可能な状態として実現するものである。
以下、図面に基づいてこの考案の実施例を詳細且つ具体的に説明する。 
【実施例１】
【０００９】
図１〜図５は、この考案の第１実施例を示すものである。図１、図２において、１は旗掲揚装置である。この旗掲揚装置１は、壁２に対して縦方向に取り付けられる箱体３と、この箱体３内に収容された伸縮可能なポール４とを備えている。
【００１０】
箱体３は、この第１実施例において、前面部５と後面部６と右側面部７と左側面部８と上面部９と下面部１０とにより、縦方向に長く四角形状に形成されている。後面部６は、外面が壁２の壁面に接して取り付けられる。
箱体３の前面部５には、図２の正面視において、右側で縦長の表札用取付部１１と左側で縦長の蓋１２とが、横方向で並列に備えられている。表札用取付部１１には、縦長の表札１３が取り付けられる。蓋１２は、図１に示すように、下部が前面部５に設置した蓋支持部１４に支持されて前方に揺動可能であり、箱体３の前面部５に開放口１５を形成するように取り付けられている。
【００１１】
箱体３の後面部６には、縦方向に移動可能な上側取付部１６が設けられる。この上側取付部１６は、図３に示すように、後面部６の内面で横方向に延びるように位置し、且つ両端が縦方向で所定長さに形成した右側面部７の右側溝１７及び左側面部８の左側溝１８に挿通され、縦方向に移動可能に設けられている。
そして、図４に示すように、上側取付部１６の右側面部７側の端部には、右側段部１９によって右側面部７よりも外方に突出し且つ後面部６と同一面上の右側上取付面部２０が形成されている。この右側上取付面部２０には、ボルト等の取付具を挿通する右側上取付孔２１が形成されている。また、上側取付部１６の左側面部８側の端部には、左側段部２２によって左側面部８よりも外方に突出し且つ後面部６と同一面上の左側上取付面部２３が形成されている。この左側上取付面部２３には、ボルト等の取付具を挿通する左側上取付孔２４が形成されている。
【００１２】
また、箱体３の後面部６には、図１に示すように、前記上側取付部１６から所定の距離で離間した下側取付部２５が固設されている。この下側取付部２５は、箱体３の後面部６に連設され且つこの後面部６と同一平面上に配置された右側下取付面部２６及び左側下取付面部２７からなる。この右側下取付面部２６及び左側下取付面部２７には、ボルト等の取付具を挿通する右側下取付孔２８及び左側下取付孔２９が形成されている。
従って、箱体３においては、図３に示すように、上側取付部１６を右側溝１７及び左側溝１８に沿って縦方向に移動することにより、下地となる壁３の壁面状況により、取付箇所を容易に変更することが可能となる。
【００１３】
箱体３内のポール４は、下端が後面部６と下面部１０との角部位に設置したポール支持部３０に揺動可能に支持され、下側から順次に、例えば、パイプ状の第１ポール部４−１と第２ポール部４−２と第３ポール部４−３との三段階に伸張可能で、後面部６の内面側に収容されている。この場合、ポール４においては、第１ポール部４−１が第２ポール部４−２をスライドさせて収容可能とし、第２ポール部４−２が第３ポール部４−３をスライドさせて収容可能とし、そして、第１ポール部４−１は、第３ポール部４−３が収容された第２ポール部４−２を、スライドさせて収容可能とする。
これにより、図１に示すように、箱体３の蓋１２が開状態になって開放口１５を形成し、ポール４をこの開放口１５から斜め上方に伸張することにより、旗Ｆの掲揚可能な状態になる。
【００１４】
また、旗掲揚装置１には、制御ボックス３１を備えた操作機構３２が設けられる。 
この操作機構３２は、ポール４を開放口１５側に移動させつつ伸張して旗Ｆを掲揚可能な状態にするものであり、図５に示すように、操作指示手段３３と、制御手段３４と、蓋支持部１４を動作して蓋１２を開閉動作する蓋開閉手段３５と、ポール支持部３０を動作してポール４を揺動するポール揺動手段３６と、ポール４を伸縮するポール伸縮手段３７とを備えている。制御手段３４は、制御部（ＣＰＵ）３４Ａとタイマ３４Ｂとを組み込み、操作指示手段３３かの指示信号により、蓋開閉手段３５とポール揺動手段３６とポール伸縮手段３７とを作動する。タイマ３４Ｂには、旗Ｆを掲揚したい日付・時間等の必要事項が設定される。
【００１５】
次に、この第１実施例の作用を説明する。 
祭日で旗Ｆを掲揚したい場合に、操作機構３２においては、操作指示手段３３によって旗Ｆの掲揚の指示操作があったり、あるいは、タイマ３４Ｂからの指令信号があると、制御手段３４が、先ず、蓋開閉手段３５を作動して蓋１２を開動作させて開放口１５を形成し、そして、ポール揺動手段３６を作動して後面部６の内側で収容されていたポール４を開放口１５側に揺動しつつ、ポール伸縮手段３６を作動してポール４を伸張し、このポール４の第３ポール部４−３の先端に旗Ｆを掲揚可能な状態にする。
【００１６】
また、操作機構３２で、操作指示手段３３の戻し指示操作、あるいは、タイマ３４Ｂからの戻し指令信号があると、制御手段３４が、先ず、ポール伸縮手段３７を作動してポール４を縮小し、そして、ポール揺動手段３６を作動してこの縮小されたポール４を後面部６の内面側に揺動して収容し、さらに、蓋開閉手段３５を作動して蓋１２を閉動作し、開放口１５を閉じる。
【００１７】
これにより、旗Ｆを掲揚したい場合に、ポール４を箱体３から自動的に出して旗Ｆを掲揚させることができるとともに、旗Ｆの掲揚が終了した場合には、ポール４を箱体３内に自動的に収容することができ、よって、ポール４の収容・搬送や設置等でその手間を無くし、旗Ｆの掲揚を簡便に行わせることができる。
また、旗掲揚装置１においては、手動でも旗Ｆを掲揚することができ、簡便である。 
更に、箱体３の前面部５に表札１３を取り付けることができ、箱体３の多機能化を図ることができる。 
【実施例２】
【００１８】
図６、図７は、この考案の第２実施例を示すものである。 
以下の第２〜第４実施例においては、上述の第１実施例と同一機能を果たす箇所には、同一符号を付して説明する。 
この第２実施例の特徴とするところは、以下の点にある。即ち、旗掲揚装置１は、壁２に対して横方向に取り付けられる箱体３と、この箱体３内に収容された伸縮可能なポール４とを備えている。
箱体３は、この第２実施例において、前面部５と後面部６と右側面部７と左側面部８と上面部９と下面部１０とにより、横方向に長く四角形状に形成されている。 
箱体３の前面部５には、上側で横長の表札用取付部１１と下側でポール用孔４１とが、縦方向で並列に備えられている。表札用取付部１１には、横長の表札１３が取り付けられる。
箱体３の後面部６には、右側上取付面部２０及び左側上取付面部２３を備えた上側取付部１６と、右側下取付面部２６及び左側下取付面部２７を備えた下側取付部２５とが設けられる。上側取付部１６は、第１実施例と同様に、縦方向に移動可能に設けることも可能である。
【００１９】
箱体３内のポール４は、基端側が箱体３の後面部６の内面に固定され、この基端側から順次に、例えば、第１ポール部４−１と第２ポール部４−２と第３ポール部４−３との三段階に伸張可能で、前方側に向って収容されている。箱体３内では、第１ポール部４−１が下面部１０に固定した保持部４２に保持されている。また、第３ポール部４−３の先端側は、ポール用孔４１付近で、外側から人の手によって摘んで引き出し可能に配置されている。
なお、この第２実施例においても、第１実施例と同様に、旗掲揚装置１に操作機構３２を設け、旗Ｆの掲揚を自動化することも可能である。
【００２０】
この第２実施例の構成によれば、祭日で旗Ｆを掲揚したい場合に、外側から人の手により、ポール用孔４１付近の第３ポール部４−３の先端側を前方に摘み出し、ポール４を伸張することにより、第３ポール部４−３の先端に旗Ｆを掲揚可能な状態になる。
一方、ポール４の収容時には、第３ポール部４−３を押してポール４を縮小することにより、ポール４を箱体３内で且つ第３ポール部４−３の先端をポール用孔４１付近に位置させる。
【００２１】
これにより、旗Ｆを掲揚したい場合に、ポール４を箱体３内から伸張して旗Ｆを掲揚させることができるとともに、旗Ｆの掲揚が終了した場合には、ポール４を箱体３内に収容することができ、ポール４の収容・搬送や設置等でその手間を無くし、旗Ｆの掲揚を簡便に行わせることができる。
また、箱体３の前面部５に表札１３を取り付けることができ、箱体３の多機能化を図ることができる。 
【実施例３】
【００２２】
図８〜図１２は、この考案の第３実施例を示すものである。 
この第３実施例の特徴とするところは、以下の点にある。即ち、図８、図９に示すように、旗掲揚装置１は、壁２に対して縦方向に取り付けられる箱体３と、この箱体３内に収容された伸縮可能なポール４とを備えている。
箱体３は、この第３実施例において、前面部５と後面部６と右側面部７と左側面部８と上面部９と下面部１０とにより、縦方向に長く四角形状に形成されている。 
箱体３の前面部５には、中央側で縦長の表札用取付部１１と上側で所定長さの縦長切欠部４３とが備えられている。表札用取付部１１には、縦長の表札１３が取り付けられる。
箱体３の後面部６には、右側上取付面部２０及び左側上取付面部２３からなる上側取付部１６と、右側下取付面部２６及び左側下取付面部２７からなる下側取付部２５とが設けられる。上側取付部１６は、第１実施例と同様に、上下方向に移動可能に設けることも可能である。
【００２３】
箱体３内のポール４は、下端が後面部６と下面部１０との角部位に固定され、縦長切欠部４３側に延長して所定角度で傾斜して配置され、下側から順次に、例えば、第１ポール部４−１と第２ポール部４−２との二段階に伸張可能である。
第１ポール部４−１は、パイプ状で、先端側が縦長切欠部４３付近に配置され、第２ポール部４−２をスライドさせて収容可能とする。第２ポール部４−２は、縦長切欠部４３付近で、外側から人の手で摘んで第１ポール部４−１内から引き出し可能に配置されている。
【００２４】
第１ポール部４−１と第２ポール部４−２とは、連結機構４４で連結される。 
この連結機構４４としては、第１に、例えば、図１０、図１１に示すように、第２ポール部４−２の外周面の下部で軸方向に形成した縦溝４５の上側に揺動スプリング体４６の一端部４７を支持し、この揺動スプリング体４６の他端で外側に突出した係止片４８を第１ポール部４−１の上端に係止可能として構成される。揺動スプリング体４６は、支持された一端部４７を中心にして他端の係止片４８が揺動可能であり、第２ポール部４−２の中心側から外周面側に付勢されている。この連結機構４４においては、揺動スプリング体４６の係止片４８を縦溝４５内に収容させることにより、第１ポール部４−１に対して第２ポール部４−２をスライド可能とする一方、揺動スプリング体４６の係止片４８を縦溝４５から外側に突出させることにより、第１ポール部４−１に対して第２ポール部４−２を係止して連結させる。
【００２５】
また、連結機構４４としては、第２に、例えば、図１２に示すように、第１ポール部４−１の上端部に、外側から径方向へのねじ孔４９を形成し、このねじ孔４９に第１ポール部４−１内の第２ポール部４−２の下部を径方向に押圧して固定する固定用ねじ５０を螺着して構成される。
【００２６】
この第３実施例の構成によれば、祭日で旗Ｆを掲揚したい場合に、第２ポール４−２の先端を人の手で摘んで引き出してポール４を伸張し、そして、連結機構４４の操作により、第１ポール部４−１に対して第２ポール部４−２を係止させて連結させることにより、第２ポール部４−２の先端に旗Ｆを掲揚可能な状態にする。
一方、ポール４の収容時には、連結機構４４の操作により、第２ポール部４−２を押して第１ポール４−１内にスライドして収容させ、ポール４−２を箱体３内で且つ第２ポール部４−２の先端を縦長切欠部４３付近に位置させる。
【００２７】
これにより、旗Ｆを掲揚したい場合に、ポール４を箱体３から伸張して旗Ｆを掲揚させることができるとともに、旗Ｆの掲揚が終了した場合には、ポール４を箱体３内に収容することができ、ポール４の収容・搬送や設置等でその手間を無くし、旗Ｆの掲揚を簡便に行わせることができる。
また、箱体３の前面部５に表札１３を取り付けることができ、箱体３の多機能化を図ることができる。 
【実施例４】
【００２８】
図１３、図１４は、この考案の第４実施例を示すものである。 
この第４実施例の特徴とするところは、以下の点にある。即ち、例えば、第１実施例における旗掲揚装置１において、箱体３の前面部５の左側に縦長の開放口１５を形成するとともに、前面部５の内面には開放口１５を開閉可能な蓋１２を配設する。この蓋１２は、開放口１５の上側で前面部５の内面に設けられた断面Ｌ字形状の上側ガイドレール５１と、開放口１５の下側で前面部５の内面に設けられた断面Ｌ字形状の下側ガイドレール５２とによって右側方向（図１４の一点鎖線の矢印で示す）に移動可能に保持され、開放口１５を開閉する。この第４実施例の旗掲揚装置１の他の構造については、第１実施例と同様なので、その説明を省略する。
【００２９】
この第４実施例の構成によれば、上述の第１実施例と同様な作用効果を奏するとともに、旗Ｆの掲揚時には、蓋１２を上側ガイドレール５１及び下側ガイドレール５２に沿って横方向にスライドさせて箱体３内に収容させ、これにより、蓋１２が前面に突設することがなく、旗掲揚装置１をコンパクトに維持させることができる。
【実施例５】
【００３０】
図１５、図１６は、この考案の第５実施例を示すものである。 
この第５実施例の特徴とするところは、以下の点にある。即ち、図１５、図１６に示すように、旗掲揚装置１は、手動式の構造である。この旗掲揚装置１には、壁２に対して縦方向に取り付けられる箱体３と、この箱体３内に収容されポール４とが設けられている。このポール４には、旗Ｆが巻かれている。
箱体３は、この第５実施例において、前面部に対応して配設された蓋１２と後面部６と右側面部７と左側面部８と上面部９と下面部１０とにより、縦方向に長く四角形状に形成されている。
蓋１２には、表面の中央側で縦長の表札用取付部１１が備えられている。この表札用取付部１１には、縦長の表札１３が取り付けられる。 
蓋１２は、右側端が右側面部７に取り付けた上側蝶番５３及び下側蝶番５４により右側に開閉可能に取り付けられ、開けられたときに開放口１５を形成し、また、左側端の中央部位に左側面部８に係止する係止用取手部５５を備えている。
箱体３内のポール４は、下端部位がポール支持部３０に揺動可能に支持され、そして、蓋１２を開けているときに、先端部位が前面側に傾斜され（図１６の一点鎖線で示す）、旗Ｆを掲揚可能とする。
【００３１】
この第５実施例の構成によれば、上述の第１実施例と同様な作用効果を奏するとともに、旗Ｆの掲揚時には、蓋１２を開けてポール４を箱体３内から傾斜させるだけで、旗Ｆを掲揚可能とし、簡便である。
【実施例６】
【００３２】
図１７は、この考案の第６実施例を示すものである。 
この第６実施例の特徴とするところは、以下の点にある。即ち、操作機構３２としては、箱体３に固定されるパイプ状の枠体５６を設け、この枠体５６内には所定の長さで外面に形成されたねじ５７を有するねじ体５８を配置し、このねじ体５８の下端にねじ体用歯車５９を固定し、このねじ体用歯車５９の上面には枠体５６の下端を相対回転可能に配置するとともにモータ６０のモータ側歯車６１を噛み合わせて設け、また、枠体５６の内側には所定長さのナット摺動用穴６２を形成し、このナット摺動用穴６２には移動用ナット６３を摺動可能に設け、この移動用ナット６３のナット側ねじ穴６４にはねじ体５８を噛み合わせて設け、さらに、この移動用ナット６３の上面にはポール４の下端を固定して構成される。モータ６０は、制御手段３４からの指令信号によって正逆回転される。
【００３３】
この第６実施例の構成によれば、モータ６０が回転されると、ねじ体５８が回転して移動用ナット６３が枠体５６のナット摺動用穴６２で縦方向に移動するすることにより、ポール４を上方向に移動させ、ポール４の先端に旗Ｆを掲揚可能な状態にする。
これにより、旗Ｆを掲揚したい場合に、ポール４を箱体３から伸張して旗Ｆを掲揚させることができるとともに、旗Ｆの掲揚が終了した場合には、ポール４を箱体３内に収容することができ、ポール４の収容・搬送や設置等でその手間を無くし、旗Ｆの掲揚を簡便に行わせることができる。
【００３４】
なお、この考案においては、上述の実施例に限定されるものではなく、種々応用改変が可能であることは勿論である。 
例えば、図１６に示すように、箱体３を壁２内の箱用穴６５に埋め込み、箱体３が壁２の壁面から突出するのを回避させることも可能である。
また、旗を半旗状態に掲揚させることも可能である。 
更に、ポールとしては、巻き尺式のもので構成することも可能である。 
【産業上の利用可能性】
【００３５】
旗を掲揚可能な状態にする旗掲揚装置を、他の目的にも利用させることができる。 
【図面の簡単な説明】
【００３６】
【図１】第１実施例において旗掲揚装置の断面図である。
【図２】第１実施例において旗掲揚装置の正面図である。
【図３】第１実施例において上側取付部の取り付け状態の断面図である。
【図４】第１実施例において上側取付部の断面図である。
【図５】第１実施例において操作機構の制御ブロック図である。
【図６】第２実施例において旗掲揚装置の断面図である。
【図７】第２実施例において旗掲揚装置の正面図である。
【図８】第３実施例において旗掲揚装置の断面図である。
【図９】第３実施例において旗掲揚装置の正面図である。
【図１０】第３実施例において第１の連結機構の断面図である。
【図１１】第３実施例において図１０の矢印ＸＩによる第１の連結機構の正面図である。
【図１２】第３実施例において第２の連結機構の断面図である。
【図１３】第４実施例において旗掲揚装置の断面図である。
【図１４】第４実施例において旗掲揚装置の正面図である。
【図１５】第５実施例において旗掲揚装置の斜視図である。
【図１６】第５実施例において旗掲揚装置の蓋を開けた状態の斜視図である。
【図１７】第６実施例において操作機構の断面図である。
【図１８】この考案の変形例において箱体を壁内に埋め込んだ状態の断面図である。
【符号の説明】
【００３７】
１  旗掲揚装置 
２  壁 
３  箱体 
４  ポール 
５  前面部 
６  後面部 
１１  表札用取付部 
１２  蓋 
１３  表札 
１５  開放口 
１６  上側取付部
２５  下側取付部
３２  操作機構
３３  操作指示手段
３４  制御手段
３５  蓋開閉手段
３６  ポール揺動手段
３７  ポール伸縮手段 
【図１】
0003132831.tif 000003
【図２】
0003132831.tif 000004
【図３】
0003132831.tif 000005
【図４】
0003132831.tif 000006
【図５】
0003132831.tif 000007
【図６】
0003132831.tif 000008
【図７】
0003132831.tif 000009
【図８】
0003132831.tif 000010
【図９】
0003132831.tif 000011
【図１０】
0003132831.tif 000012
【図１１】
0003132831.tif 000013
【図１２】
0003132831.tif 000014
【図１３】
0003132831.tif 000015
【図１４】
0003132831.tif 000016
【図１５】
0003132831.tif 000017
【図１６】
0003132831.tif 000018
【図１７】
0003132831.tif 000019
【図１８】
0003132831.tif 000020